(57)【要約】      （修正有）【課題】取り付け時のアーチワイヤーとブラケットとの間の摩擦抵抗力を軽減した歯列矯正用ブラケットである。【解決手段】下部に歯面６への接合面５を有し、本体中央部にアーチワイヤー４を挿入するための溝部２を設けて、アーチワイヤー４をこの溝部２に係止するブラケットである。このブラケットの溝部２の底面９をゆるやかなカーブを描く曲面形状とした。これにより、アーチワイヤー４は、ブラケットに対し、片当りせず、締め付け時の集中的な摩擦抵抗力が軽減されることとなった。【選択図】図２
0003133861.tif 000002
【実用新案登録請求の範囲】
【請求項１】
下部に歯面への接合面（５）を有し、本体中央部に溝部（２）を設けアーチワイヤー（４）を係止する歯列矯正のためのブラケット（１）であって、前記溝部（２）は、底面部（９）が前記アーチワイヤー（４）の長手方向に沿って曲面形状になっていることを特徴とする歯列矯正用ブラケット。
【請求項２】
前記請求項１に記載の歯列矯正用ブラケットにおいて、
前記溝部（２）の端部周囲が曲面形状の面取り（１１）がなされていることを特徴とする歯列矯正用ブラケット。
【請求項３】
前記請求項１に記載の歯列矯正用ブラケットにおいて、
前記溝部（２）の端部周囲がテーパ形状の面取り（１１）がなされていることを特徴とする歯列矯正用ブラケット。
【請求項４】
前記請求項１に記載の歯列矯正用ブラケットにおいて、
前記溝部（２）の側壁（１３）は、前記溝部（２）の中央部（１４）から両端部（１５）に沿って拡開するゆるやかな傾斜面形状となっていることを特徴とする歯列矯正用ブラケット。
【請求項５】
前記請求項１に記載の歯列矯正用ブラケットにおいて、
前記ブラケット（１）の材質は、セラミックスで構成されていることを特徴とする歯列矯正用ブラケット。
【請求項６】
前記請求項５に記載の歯列矯正用ブラケットにおいて、
前記溝部（２）の底面部（９）は、前記アーチワイヤーの歯列曲率より小さい曲率の曲面形状になっていることを特徴とする歯列矯正用ブラケット。
【請求項７】
前記請求項６に記載の歯列矯正用ブラケットにおいて、
前記溝部（２）の底面部（９）は、複数の歯を有する歯列のグループ毎に曲率が異なる曲面形状になっていることを特徴とする歯列矯正用ブラケット。
【請求項８】
前記請求項７に記載の歯列矯正用ブラケットにおいて、
前記溝部（２）の側壁（１６）は、前記溝部（２）の中央部の両側面が窪んだ形状である凹部（１７）にして溝幅が広くされていることを特徴とする歯列矯正用ブラケット。
【考案の詳細な説明】
【技術分野】
【０００１】
本考案は、歯列矯正治療に用いられる歯列矯正用ブラケットに関する。更に詳しくは、溝部の底面形状を曲面形状に構成した歯列矯正用ブラケットに関する。
【背景技術】
【０００２】
歯列不整に対する矯正治療方法にブラケットを使用することは公知でありよく知られている。歯列矯正はブラケット等を歯牙に接着させ、このブラケット等に取り付けたアーチワイヤーの物理的なテンション力、即ち押圧、引き戻し、捩り等、復元力を歯に与え、徐々に歯の位置を変えていくことで、歯列を矯正する。通常の使用において、ブラケットは本体の中央部にアーチワイヤーを止めるための溝部を形成し、又本体の外側にウィングを設けている。この溝部にアーチワイヤーを取り付けた後、ウィングを介して結紮手段をアーチワイヤーに係止し、アーチワイヤーを固定している。
【０００３】
このようなブラケットの材質は、審美性を重視する場合、最近は金属製のものは多くは使用されず、プラスチック又はセラミックス製である。又、アーチワイヤーの材質は、チタン合金、ステンレス等の錆びないものが使用される。このような歯列矯正用のブラケットは、種々改良されたものが知られているが、殆どは溝部（スロット）がストレート形状のものである。
【０００４】
従来の公知例を説明すると、材質は主にポリカーボネートのプラスチック、コンポジット製ではあるが、接合面にアンダーカットを形成する等の改良されたブラケットの例が知られている（例えば、特許文献１参照）。又、特許文献２〜５にも示されるように、本体形状は取り付ける歯によって形状は異なり、個々にそれぞれ違いはあるものの、歯面に対する接着性やアーチワイヤーの取り付け等の改良はなされている。又、スロットの底部をアーチワイヤーに合せて曲率に形成する方法の例も知られている（例えば、特許文献６参照）。
【０００５】
【特許文献１】特開２００３−２９０２５１号公報
【特許文献２】特開２００７−２０２号公報
【特許文献３】特開平１１−２０６７８３号公報
【特許文献４】実開平６−４４５１８号公報
【特許文献５】実開平５−６３５１７号公報
【特許文献６】特開平８−１６８４９８号公報
【考案の開示】
【考案が解決しようとする課題】
【０００６】
従来のブラケットは、前述のとおり、溝の底面部が直線状になっているのが多い。このブラケットは、複数個使用し歯面に沿って取り付けるので、溝の底面部が直線であってもアーチワイヤーを複数個のブラケットに跨って取り付けるので、使用上あまり問題視していなかった。しかし、取り付け時にアーチワイヤーは底面部に直線状に接触し、溝の両端部でブラケットは抑えられる構成である。従って、アーチワイヤーはブラケットに対し、現状は片当たりで強い押圧の状態となっている。
【０００７】
このため取り付け後、締め付け状態になった場合、アーチワイヤーが底面部、特に溝の端部底面との間に摩擦抵抗力を起すことになる。このことは、アーチワイヤー及びブラケットを損傷させるもとになり、又、取り付け状態によっては歯面に大きな負担をかけることになる。複数の歯で構成される歯列は、歯列弓に沿った円弧を描いており、又、各々の歯はきちんと整列しているわけでない。アーチワイヤーもこの歯列に沿ってゆるやかな曲線を描くことになる。歯の配置構成は、上下、前後、左右方向と微妙に個人によって異なる。
【０００８】
従って、本来アーチワイヤーを挿入するブラケットの溝もアーチワイヤーの設置形状に沿っているのが理想である。特別なあるいは複雑な方法を要せずに、平易な方法で所定の溝形状が形成されるのが望ましい。このように、アーチワイヤーの取り付けに伴なうブラケットとの摩擦抵抗をできるだけ少ない構成になることが求められる。本考案はこのような従来の問題点を解決し、下記のような目的を達成する。本考案の目的は、アーチワイヤー取り付けに伴なう摩擦抵抗を解消するようにした歯列矯正用ブラケットを提供することにある。
【課題を解決するための手段】
【０００９】
本考案は、上記目的を達成するために、次の手段で達成される。即ち、
本考案１の歯列矯正用ブラケットは、下部に歯面への接合面（５）を有し、本体中央部に溝部（２）を設けアーチワイヤー（４）を係止する歯列矯正のためのブラケット（１）であって、前記溝部（２）は、底面部（９）が前記アーチワイヤー（４）の長手方向に沿って曲面形状になっていることを特徴とする。
本考案２の歯列矯正用ブラケットは、本考案１において、前記溝部（２）の端部周囲が曲面形状の面取り（１１）がなされていることを特徴とする。
【００１０】
本考案３の歯列矯正用ブラケットは、本考案１において、前記溝部（２）の端部周囲がテーパ形状の面取り（１１）がなされていることを特徴とする。
本考案４の歯列矯正用ブラケットは、本考案１において、前記溝部（２）の側壁（１３）は、前記溝部（２）の中央部（１４）から両端部（１５）に沿って拡開するゆるやかな傾斜面形状となっていることを特徴とする。
【００１１】
本考案５の歯列矯正用ブラケットは、本考案１において、前記ブラケット（１）の材質は、セラミックスで構成されていることを特徴とする。
本考案６の歯列矯正用ブラケットは、本考案５において、前記溝部（２）の底面部（９）は、前記アーチワイヤーの歯列曲率より小さい曲率の曲面形状になっていることを特徴とする。
【００１２】
本考案７の歯列矯正用ブラケットは、本考案６において、前記溝部（２）の底面部（９）は、複数の歯を有する歯列のグループ毎に曲率が異なる曲面形状になっていることを特徴とする。
本考案８の歯列矯正用ブラケットは、本考案７に記載の歯列矯正用ブラケットにおいて、前記溝部（２）の側壁（１６）は、前記溝部（２）の中央部の両側面が窪んだ形状である凹部（１７）にして溝幅が広くされていることを特徴とする。
【考案の効果】
【００１３】
本考案による歯列矯正用ブラケットは、溝部の底面を曲面形状にすることにより、アーチワイヤーをブラケットの溝に挿入した後、歯列矯正のときには挿入長手方向に沿ってアーチワイヤーは溝底面全域に亘って接触状態を維持できるようになった。又、両端部は曲面形状の面取りを施すようにしているので、このため、アーチワイヤーはブラケットに対し、溝部の両端部で片当たりすることなく、均等に歯面に対して押圧することになる。
【００１４】
従って、アーチワイヤー及びブラケット相互の摩擦抵抗が解消されることとなった。これにより、ブラケット及びアーチワイヤーの損傷もなくなり、又歯面に対してもブラケット全面に亘っての均一な押し付け力となった。
【考案を実施するための最良の形態】
【００１５】
以下、本考案の実施の形態を、図面を参照しながら説明する。図１は、本考案の歯列矯正のためのブラケット１についての実施の形態を示す平面図である。図２は、図１のＡ−Ａ断面図であり、図３は図１のＢ−Ｂ断面図である。図１に示すブラケット１は、ツインブラケットと呼ばれる２組のウィング３を有するセラミック製のものである。
【００１６】
ブラケット１の中央部の上面には貫通するように、アーチワイヤー４を維持するために凹状のアーチワイヤー挿入のための溝部２、即ちスロットが形成され配置されている。このブラケット１は、他にシングルブラケット等のように、治療方法、治療テクニック等により多くの種類が提案され知られている。本考案のブラケットの実施の形態については、前述した形状のブラケット１を前提として説明する。ブラケット１は、取り付ける歯の部位によって、例えば前歯用、犬歯用、小臼歯用、大臼歯用等がある。又、トルクやアンギュレーション等が相違し、又矯正する歯の向き等によって形状が異なり、これに合わせた種々のブラケットがある。このブラケット１は、基本的な構造としては中央部にアーチワイヤー挿入のための溝２、側壁にウィング３が配置されている。
【００１７】
ブラケットのタイプによっては、これに結紮部材を係止するためのフックがウイング３に配置されているものもある。ブラケット１の下面は、歯牙への接合面５となっており、接合面５は接着剤を介して歯面６に接着される。これらのブラケット１の本体の基本構造、機能については、公知であるので、ここでは詳細な説明は省略する。本考案の要旨は、このように構成されるブラケット１の溝形状に関わる。
【００１８】
図１で前述したように、ブラケット１の中央部に矢印方向にアーチワイヤー４を移動調整しながら嵌め込むための溝部２が設けられている。又、この中央部には、このアーチワイヤー４挿入のための溝部２に対し、アーチワイヤー４の挿入方向の直角方向にも溝７が設けられている。図１のブラケット１には、本体中央部からアーチワイヤー４の挿入方向を横切る方向に張り出した状態でウィング３が構成されている。ブラケット１の材質は、プラスチックあるいはセラミックスであるが、本実施の形態においては、セラミックスを使用する前提で説明する。
【００１９】
歯牙の矯正の際には、アーチワイヤー４が矢印の方向に沿って溝部２に挿入される。アーチワイヤー４が溝部２に挿入された後、一般的な結紮方法で結紮する場合、仮想線（図３参照）で示すように、ステンレス結紮線又はポリウレタンのモジュール（Оリング）等の結紮手段８でアーチワイヤー４をブラケット１に固定する。このときウィング３に結紮手段８を巻回してアーチワイヤー４に巻き掛け、アーチワイヤー４を溝部２の底面９に押圧して固定でき、最近主流になりつつあるローフリクションシステムによる結紮方法（例えば、本出願人に係る商標であるクリアスナップ等）での係止も可能である。この方法であるとより摩擦を低減できる。
【００２０】
この固定は歯の条件、ブラケット１の取り付け条件、例えば取り付け角度等により、固定状態は変わってくる。ブラケット１は複数個を歯列に沿って取り付けることになるが、歯列は曲線状に配列されている。従来は、歯列が曲線状であってもブラケット１の溝部２の底面９は直線状になっていた。しかしながら、歯面６は丸みはあるものの一様でなく、人によって歯面６構成は個々に異なる。
【００２１】
即ち、複数のブラケット１が歯面６の丸み形状に沿って取り付けると、隣接する歯面６の相互の高さが違ったり、ブラケット１の歯面６に対する位置が上下、左右とずれる場合がある。ブラケット１の溝部２の底面９が直線状になっていると、アーチワイヤー４は底面６に長手方向に沿って直線状に配置され、この底面９の両端部１０では片当たりとなり、ブラケット１はこの部分で強く歯面６に押し付けられる。
【００２２】
又、アーチワイヤー４を締め付ける際は、ブラケット１上で多少相互移動する。即ち、この片当りは、アーチワイヤー４が締め付けのとき両端部を集中的に押圧することになり、アーチワイヤー４を溝部２に跨って調整のため長手方向に締め付けながら移動させると、大きな摩擦抵抗力が生じる。このときブラケット１との間に摩擦抵抗が生じる。この摩擦抵抗が大きくなると、アーチワイヤー４及びブラケット１に損傷を発生させるおそれが生じる。本考案においては、この底面９の中央部をやや膨らませる曲面形状とした。この曲面形状の半径寸法Ｓは、歯列に沿ったもので緩やかなカーブを描く程度である。厳密には各歯面６によって曲面形状の半径Ｓの寸法は異なってくるが、アーチワイヤー４の巻きかけ曲率より小さくし平均的な寸法で統一する。
【００２３】
即ち、歯列に沿うようにブラケット１とアーチワイヤー４は配置される形態となる。更に、溝部２の両端部１０は、Ｒ状の曲面形状の面取り１１がなされている。この面取り１１は、アーチワイヤー４を挿入後、締め付け時に集中して片当りになるのを防止するためである。両端部１０の損傷を防止できる程度のＲ形状とする。又、Ｒ形状のみならず、図示していないが両端部１０をテーパ状にして面取りしてもよい。即ち、両端部１０の面取り１１を外側に拡開する形状の緩やかな傾斜面を形成する形状とする。
【００２４】
この面取り１１は、溝部２の底面９と溝部２の側面部１２を含めてなされる。溝部２をＲ形状にしたことで、歯面６相互のずれが生じても、両端部１０での片当たりは生じ難い構成になった。このような形状にすることで、セラミックスのように硬い材質のブラケット１であっても、集中応力の伴なう押圧とならないのでブラケットは破損等のトラブルは避けられる。仮にアーチワイヤー４が均一に当たらない場合には、アーチワイヤー４は特に底面９の中央部に当たるようにすれば、中央部の押圧で歯面６に押し付けることになる。これはアーチワイヤー４でブラケット１を押圧したとき、接合面５は歯面６に均一に押し付けられることを意味する。
【００２５】
図４は他の実施の形態を示すもので、底面９の曲面形状を図１と同様にするとともに、溝部２の側面１３をも中央部１４から両端部１５に沿って拡開する曲面形状にしてもよい。これは、アーチワイヤー４を図の鎖線で示すように、ブラケット１に傾斜させて取り付けることを可能にする。複数のブラケット１が歯面６に対し、高さ方向に多少のずれがあっても、角度のずれがあっても対応ができるのと同時に、歯面６に対しブラケット１相互が上下方向、左右方向または傾斜して取り付けられた場合に対しても対応できることになる。
【００２６】
更に他の実施の形態として、図５に示すのは、ブラケット１を溝部２の側面１６の中央部の両側面が窪んだ形状である凹部１７にして溝幅を広くしている。これは、アーチワイヤー４がこの中央部の側面に接触しない形状にした例である。側面が平坦であると、アーチワイヤー４をブラケット１に設置したとき、側面中央部のみで接触することもありうる。この場合アーチワイヤー４は、ブラケット１に対し片当たりで不安定となるおそれがある。これを避けるため、側面の中央部分のみ逃がし、即ち凹部１７にしてアーチワイヤー４が接触しないようにした。これにより、アーチワイヤー４は溝部２の両端部の側面１６のみで接触するので、接触摩擦を少なくし安定した保持が可能となる。
【００２７】
図６は、歯列形態の一例を示す図であり、例えば下顎骨歯列の半円形状のものが示されている。各々の歯は、標準状態で配置されている。この配置の歯列になるように歯列を矯正するのである。各歯に応じてブラケット１が取り付けられ、そのブラケット１の溝部２にアーチを描いてアーチワイヤー４が巻きかけられる。歯列は便宜上３つのグループに分けられており、前部及び犬歯等先の尖った歯２０，２１，２２、のグループＡと、小臼歯２３，２４のグループＢと、大臼歯２５，２６のグループＣに分類され配置されている。
【００２８】
歯列は左右対称であるので、グループ分けは図６の右側に限定して表示しているが、左側も同様である。これによれば、グループＡは３つの歯を、グループＢ及びＣは２つの歯を有する。取り付けられるブラケット１は、グループＡ，Ｂ，Ｃに従い、ほぼ同形のものとし、底部９の曲面の曲率を同じとしている。この歯列に沿って巻きかけられるアーチワイヤー４の厳密な曲率は、グループＡ，Ｂ，Ｃで微妙に異なる。
【００２９】
従って、ブラケット１の溝部２曲面形状もアーチワイヤー４の曲率に沿ったものとなる。ブラケット１の溝部２の曲率は、アーチワイヤー４の巻きかけ状態の曲率より小さくし、且つ溝部２の両端部１０の面取りを施すようにしている。これにより、摩擦抵抗のないアーチワイヤー４の取り付けが実現できる。ブラケット１の曲率をアーチワイヤー４の巻きかけ曲率より小さくすることで、位置が多少ずれてブラケット１の取り付け角度が多少変わっても片当りが避けられる。以上本考案の実施の形態について説明してきたが、本考案の具体的構成はこの例に限定されないことはいうまでもない。
【図面の簡単な説明】
【００３０】
【図１】図１は、本考案の歯列矯正用ブラケットの平面図である。
【図２】図２は、図１のＡ−Ａ断面図である。
【図３】図３は、図１のＢ−Ｂ断面図である。
【図４】図４は、他の実施の形態を示す歯列矯正用ブラケットの平面図である。
【図５】図５は、他の実施の形態を示す歯列矯正用ブラケットの平面図である。
【図６】図６は、ブラケットとアーチワイヤーの取り付けられた歯列構成を示す説明図である。
【符号の説明】
【００３１】
１…ブラケット
２…溝部
３… ウィング
４…アーチワイヤー
５…接合面
６…歯面
７… 係止溝
８…結紮手段
９…底面
１０…両端部
【図１】
0003133861.tif 000003
【図２】
0003133861.tif 000004
【図３】
0003133861.tif 000005
【図４】
0003133861.tif 000006
【図５】
0003133861.tif 000007
【図６】
0003133861.tif 000008